(57)【特許請求の範囲】
【請求項１】
見守りバンドを着用する監視対象のバイタルデータ及びロケーションデータを含むライフログを取得する検知デバイスを含む見守りバンドと、サーバと、前記見守りバンド及び前記サーバ間の通信を中継する中継デバイスと、を有し、
前記見守りバンドは、前記ライフログを取得し無線ネットワークを介して前記ライフログ、及び、前記見守りバンドのバッテリー残量を少なくとも示すバンドステータスを前記中継デバイスに送信する検知手段を有し、
前記中継デバイスは、前記見守りバンド及び前記サーバからの送信データを受け付け、それぞれ、前記サーバ及び前記見守りバンドへ送信する中継手段を有し、
前記サーバは、前記監視対象と対応する見守りエリア、前記監視対象を示す監視対象識別子、及び、前記見守りバンドを示すバンド識別子を対応付け、前記中継手段により送信された前記ライフログ及び前記バンドステータスに基づきモニタリングデータを決定する管理手段と、前記モニタリングデータの少なくとも一部に基づき前記バンド識別子と対応する管理画面を表示処理する表示手段と、管理画面に対する入力操作に基づき前記見守りバンドを制御するコントロール信号を決定し、前記コントロール信号を前記中継デバイス経由で前記見守りバンドに送信し、前記コントロール信号を前記見守りバンドに実行させる制御手段と、を有し、
前記中継デバイスは、機種が異なる複数の前記見守りバンドのそれぞれにおける前記バンド識別子及び各前記見守りバンドからの前記送信データの識別を行う識別手段を更に有し、
前記識別手段は、前記見守りバンドを示す前記バンド識別子に基づき、前記ライフログの送信を行った前記見守りバンドが何れの機種であるのかを識別し、
前記識別手段は、前記見守りバンドから受信した前記ライフログの有するバイタルデータ及びロケーションデータが、見守りバンド監視システムにおける何れのバイタルデータ及びロケーションデータと対応するものであるのかを機械学習モデルに基づき識別する見守りバンド監視システム。
【請求項２】
前記サーバは、前記ロケーションデータが前記見守りエリアの外域を示していることを条件として、前記中継手段及び前記識別手段を有する前記中継デバイスに徘徊の発生を知らせるメールを送信する
請求項１に記載の見守りバンド監視システム。
【請求項３】
前記中継手段は、前記無線ネットワークを介して前記見守りバンドを検知し、当該無線ネットワークを介した相互接続により前記見守りバンドの測位を行い、前記測位の結果に基づき当該見守りバンドの前記ロケーションデータを決定し前記サーバに送信する
請求項１又は２に記載の見守りバンド監視システム。
【請求項４】
前記中継手段は、前記見守りバンドからの前記送信データである前記ライフログを受け付け、所定のデータフォーマットに基づき当該ライフログの少なくとも一部のデータ整形を行い、当該ライフログを前記サーバに送信する
請求項１〜３の何れかに記載の見守りバンド監視システム。
【請求項５】
前記サーバは、前記ロケーションデータが前記見守りエリアの外域を示していることを条件として、前記監視対象に関する異常を注意喚起するための監視者向けアラーティングを前記表示手段と協調して前記管理画面上で行う警告手段をさらに有し、
前記管理手段は、前記バンド識別子と対応する見守りエリアを決定する
請求項１〜４の何れかに記載の見守りバンド監視システム。
【請求項６】
前記表示手段は、前記バッテリー残量が略ゼロである場合、前記見守りバンドと対応する緊急連絡用コード画像を当該見守りバンドと対応する前記管理画面上で表示処理し、
前記サーバと接続される端末は、イメージセンサを用いて前記緊急連絡用コード画像の読取処理を行い、
前記読取処理に成功することで、前記緊急連絡用コード画像と対応付けられた前記バンド識別子を取得し、また、前記バンド識別子を含む前記読取処理の結果である読取結果をサーバに対し送信し、
前記読取処理は、前記バンド識別子と対応する所定の電話番号及び／又はメールアドレスに対する報知を所定のコールセンターに実行させるための条件である
請求項１〜５の何れかに記載の見守りバンド監視システム。
【請求項７】
前記制御手段は、前記コントロール信号を前記見守りバンドに実行させ、前記見守りバンドが有するバイブレーター、サウンドデバイス及びディスプレイデバイスの少なくとも１つを制御し、監視対象向けアラーティングを行う
請求項１〜６の何れかに記載の見守りバンド監視システム。
【請求項８】
前記制御手段は、前記コントロール信号を前記見守りバンドに実行させることで、前記検知手段により取得される前記ライフログの取得スケジュールを決定する
請求項１〜７の何れかに記載の見守りバンド監視システム。
【請求項９】
前記管理手段は、前記監視対象が前記見守りエリアの外域に所在することを示す前記ロケーションデータを徘徊ルートとして前記モニタリングデータと対応付ける
請求項１〜８の何れかに記載の見守りバンド監視システム。
【請求項１０】
見守りバンド及びサーバ間の通信を中継する中継デバイスであり、
前記見守りバンド及び前記サーバから送信データを受け付け、それぞれ、前記サーバ及び前記見守りバンドへ送信する中継手段と、
機種が異なる複数の前記見守りバンドのそれぞれにおける前記バンド識別子及び各前記見守りバンドからの前記送信データの識別を行う識別手段と、を有し、
前記見守りバンドから受け付ける前記送信データは、前記見守りバンドにより取得された前記見守りバンドを着用する監視対象のロケーションデータ及びバイタルデータを含むライフログと、前記見守りバンドのバッテリー残量を少なくとも示すバンドステータスと、を含み、前記サーバから受け付ける前記送信データは、前記サーバにより決定された前記見守りバンドを制御するコントロール信号を含み、
前記識別手段は、前記見守りバンドを示す前記バンド識別子に基づき、前記ライフログの送信を行った前記見守りバンドが何れの機種であるのかを識別し、
前記識別手段は、前記見守りバンドから受信した前記ライフログの有する前記バイタルデータ及びロケーションデータが、見守りバンド監視システムにおける何れのバイタルデータ及びロケーションデータと対応するものであるのかを機械学習モデルに基づき識別する
見守りバンド監視デバイス。
【請求項１１】
前記中継手段は、前記見守りバンドからの前記送信データである前記ライフログを受け付け、所定のデータフォーマットに基づき当該ライフログの少なくとも一部のデータ整形を行い、当該ライフログを前記サーバに送信する
請求項１０に記載の見守りバンド監視デバイス。
【請求項１２】
見守りバンドを着用する監視対象のバイタルデータ及びロケーションデータを含むライフログを取得し無線ネットワーク経由で前記ライフログ、及び、前記見守りバンドのバッテリー残量を少なくとも示すバンドステータスを中継デバイスに送信する検知ステップを、前記ライフログを取得する検知デバイスを含む前記見守りバンドのプロセッサに実行させ、
前記見守りバンドと、サーバと、から送信データを受け付け、それぞれ、前記サーバと、前記見守りバンドと、へ送信する中継ステップを、前記見守りバンド及び前記サーバ間の通信を中継する前記中継デバイスのプロセッサに実行させ、
前記監視対象の監視対象識別子及び前記見守りバンドのバンド識別子を対応付け、前記中継ステップにより送信された前記ライフログ及び前記バンドステータスに基づきモニタリングデータを決定する管理ステップと、前記モニタリングデータの少なくとも一部に基づき管理画面を表示処理する表示ステップと、前記管理画面に対する入力操作に基づき前記見守りバンドを制御するコントロール信号を決定し、前記コントロール信号を前記中継デバイス及び前記無線ネットワーク経由で前記見守りバンドに送信し、前記コントロール信号を前記見守りバンドに実行させる制御ステップと、を前記サーバのプロセッサに実行させ、
前記見守りバンドを示す前記バンド識別子に基づき、前記ライフログの送信を行った前記見守りバンドが何れの機種であるのかを識別するステップを前記中継デバイスのプロセッサに更に実行させ、
前記見守りバンドから受信した前記ライフログの有するバイタルデータ及びロケーションデータが、見守りバンド監視システムにおける何れのバイタルデータ及びロケーションデータと対応するものであるのかを機械学習モデルに基づき識別するステップを前記中継デバイスのプロセッサに更に実行させる見守りバンド監視方法。
【請求項１３】
見守りバンドを着用する監視対象のバイタルデータ及びロケーションデータを含むライフログを取得する検知デバイスを含む前記見守りバンドを、前記ライフログを取得し無線ネットワーク経由で前記ライフログ、及び、前記見守りバンドのバッテリー残量を少なくとも示すバンドステータスを中継デバイスに送信する検知手段として機能させ、
前記中継デバイスを、サーバ及び前記見守りバンドからの送信データを受け付け、それぞれ、前記サーバ及び前記見守りバンドへ送信する中継手段として機能させ、
前記サーバを、前記監視対象の監視対象識別子及び前記見守りバンドのバンド識別子を対応付け、前記中継手段により送信された前記ライフログ及び前記バンドステータスに基づきモニタリングデータを決定する管理手段と、前記モニタリングデータの少なくとも一部に基づき管理画面を表示処理する表示手段と、前記管理画面に対する入力操作に基づき前記見守りバンドを制御するコントロール信号を決定し、前記コントロール信号を前記中継デバイス及び前記無線ネットワーク経由で前記見守りバンドに送信し、前記コントロール信号を前記見守りバンドに実行させる制御手段と、として機能させ、
前記中継デバイスを、前記見守りバンドを示す前記バンド識別子に基づき、前記ライフログの送信を行った前記見守りバンドが何れの機種であるのかを識別する手段として機能させ、
前記中継デバイスを、前記見守りバンドから受信した前記ライフログの有するバイタルデータ及びロケーションデータが、見守りバンド監視システムにおける何れのバイタルデータ及びロケーションデータと対応するものであるのかを機械学習モデルに基づき識別する手段として機能させる見守りバンド監視プログラム。
【発明の詳細な説明】
【技術分野】
【０００１】
本発明は、見守りバンド監視システム、見守りバンド監視デバイス、見守りバンド監視方法及び見守りバンド監視プログラムに関する。
【背景技術】
【０００２】
見守りバンドは、見守りバンドを着用するヒト等の動物のバイタルデータやロケーションデータを含むライフログを取得可能なセンサ等の検知デバイスを有するウェアラブルデバイスである。見守りバンドは、見守りバンドにより収集された各種情報が好適に活用されることで、例えば、高齢者の孤独死を回避すること、徘徊老人の軌跡を追跡し安全を担保すること等の社会貢献に寄与し得る。
【０００３】
特許文献１に記載の発明は、徘徊する虞がある保護対象者を効果的に保護する徘徊防止システムを提供することを目的として、カメラと、顔認証照合装置と、ビーコンと、保護対象者が保持するウェアラブル端末とを備える徘徊防止システムであって、ウェアラブル端末が、ビーコンからの位置情報を用いて施設のエリア情報を特定し、顔認証照合装置にエリア情報及び予め記憶している保護対象者情報を送信し、顔認証照合装置が、ウェアラブル端末からのエリア情報及び保護対象者情報を移動履歴データベースに記憶させる。顔認証照合装置は、カメラからの撮像画像及びカメラ識別情報を受信すると、移動履歴データベースを参照し、カメラの監視対象エリアを通過した保護対象者を特定し、保護対象者データベースを用いて特定した保護対象者の画像と、撮像画像とが一致するか否かを顔認証照合により判定する徘徊防止システムである。
【先行技術文献】
【特許文献】
【０００４】
【特許文献１】特開２０１６−１１０３０８号公報
【発明の概要】
【発明が解決しようとする課題】
【０００５】
特許文献１に記載の発明は、上記社会貢献に寄与し得るが、保護対象者が着用するウェアラブル端末そのものを遠隔でモニタリング・コントロールする、という観点に立った運用に好適である、とは言い難い。高齢者等の監視対象に係る「見守り」を好適に行い不測の事態を考慮しながら監視・保護する上で、見守りバンド等のウェアラブル端末を監視者側でモニタリング・コントロールすることが必要である。
【０００６】
本発明の目的は、上記事情を鑑みて、好適な見守りバンド監視を実現する新規な技術を提供することを解決すべき課題とする。
【課題を解決するための手段】
【０００７】
上記課題を解決するために、本発明は、見守りバンド監視システムであって、見守りバンドを着用する監視対象のバイタルデータ及びロケーションデータを含むライフログを取得する検知デバイスを含む見守りバンドと、サーバと、前記見守りバンド及び前記サーバ間の通信を中継する中継デバイスと、を有し、前記見守りバンドは、前記ライフログを取得し無線ネットワーク経由で前記ライフログ、及び、前記見守りバンドのバッテリー残量を少なくとも示すバンドステータスを前記中継デバイスに送信する検知手段を有し、前記中継デバイスは、前記見守りバンド及び前記サーバからの送信データを受け付け、それぞれ、前記サーバ及び前記見守りバンドへ送信する中継手段を有し、前記サーバは、前記監視対象を示す監視対象識別子及び前記見守りバンドを示すバンド識別子を対応付け、前記中継手段により送信された前記ライフログ及び前記バンドステータスに基づきモニタリングデータを決定する管理手段と、前記モニタリングデータの少なくとも一部に基づき前記バンド識別子と対応する管理画面を表示処理する表示手段と、前記管理画面を介した意思入力に基づき前記見守りバンドを制御するコントロール信号を決定し、前記コントロール信号を前記中継デバイス経由で前記見守りバンドに送信し、前記コントロール信号を前記見守りバンドに実行させる制御手段と、を有する見守りバンド監視システムである。
【０００８】
本発明の好ましい形態では、前記中継手段は、前記無線ネットワーク経由で前記見守りバンドを検知し、当該無線ネットワークを介した相互接続により前記見守りバンドの測位を行い、前記測位の結果に基づき当該見守りバンドの前記ロケーションデータを決定し前記サーバに送信する。このような構成とすることで、本発明は、見守りバンドの電力消費量を抑えるために見守りバンドのＧＰＳ機能をオフにする場合でも、見守りバンドの位置を把握することが容易となるため、好適な見守りバンド監視を実現することができる。
【０００９】
本発明の好ましい形態では、前記中継手段は、前記見守りバンドからの前記送信データである前記ライフログを受け付け、所定のデータフォーマットに基づき当該ライフログの少なくとも一部のデータ整形を行い、当該ライフログを前記サーバに送信する。このような構成とすることで、本発明は、多種多様な見守りバンドのハードウェア構成やプログラム構成に依らず所定のデータフォーマットに基づくライフログをサーバに集約できるような、好適なバンド監視を実現することができる。
【００１０】
本発明の好ましい形態では、前記中継デバイスは、機種が異なる複数の前記見守りバンドのそれぞれにおける前記バンド識別子及び各前記見守りバンドからの前記送信データの識別を行う識別手段を更に有し、前記識別手段は、前記見守りバンドを示す前記バンド識別子に基づき、前記ライフログの送信を行った前記見守りバンドが何れの機種であるのかを識別し、また、前記見守りバンドから受信した前記ライフログの有するデータが、見守りバンド監視システムにおける何れのデータと対応するものであるのかを、機械学習モデルに基づき識別する。このような構成とすることで、本発明は、監視対象が見守りバンドを取り替えた際にも、監視対象が着用している見守りバンドの機種に合わせたデータ整形が可能となるような、好適な見守りバンド監視を実現することができる。
【００１１】
本発明の好ましい形態では、前記サーバは、前記ロケーションデータが前記見守りエリアの外域を示していることを条件として、前記監視対象に関する異常を注意喚起するための監視者向けアラーティングを前記表示手段と協調して前記管理画面上で行う警告手段をさらに有し、前記管理手段は、前記バンド識別子と対応する見守りエリアを決定する。このような構成とすることで、本発明は、監視対象の徘徊等への対処を即時的に行う運用形態を実現するような、好適な見守りバンド監視を実現することができる。
【００１２】
本発明の好ましい形態では、前記サーバは、前記ロケーションデータが前記見守りエリアの外域を示していることを条件として、前記中継手段及び前記識別手段を有する前記中継デバイスに徘徊の発生を知らせるメールを送信する。このような構成とすることで、本発明は、監視対象の近隣に所在する中継デバイスを持つ者に対し捜索の要請が可能となり、監視対象の徘徊等が発生した際に、迅速な保護を実現するような、好適な見守りバンド監視を実現することができる。
【００１３】
本発明の好ましい形態では、前記表示手段は、前記バッテリー残量が略ゼロである場合、前記見守りバンドと対応する緊急連絡用コード画像を当該見守りバンドと対応する前記管理画面上で表示処理し、前記緊急連絡用コード画像の読取処理は、前記バンド識別子と対応する所定の電話番号及び／又はメールアドレスに対する報知を所定のコールセンターに実行させるための条件である。このような構成とすることで、本発明は、見守りバンドを介した監視対象の監視・保護における不測の事態への対処が可能となるような、好適な見守りバンド監視を実現することができる。当該不測の事態とは、見守りバンドの電池切れ等を指す。
【００１４】
本発明の好ましい形態では、前記制御手段は、前記コントロール信号を前記見守りバンドに実行させ、前記見守りバンドが有するバイブレーター、サウンドデバイス及びディスプレイデバイスの少なくとも１つを制御し、監視対象向けアラーティングを行う。このような構成とすることで、本発明は、中継デバイスを介した制御による省電力な監視対象向けアラーティングや報知を行うような、好適な見守りバンド監視を実現することができる。
【００１５】
本発明の好ましい形態では、前記制御手段は、前記コントロール信号を前記見守りバンドに実行させることで、前記検知手段により取得される前記ライフログの取得スケジュールを決定する。このような構成とすることで、本発明は、ライフログ取得における見守りバンドの電力消費量を管理・調整することができるため、見守りバンドの動作期間を長くするような、好適な見守りバンド監視システムを実現することができる。
【００１６】
本発明の好ましい形態では、前記管理手段は、前記監視対象が前記見守りエリアの外域に所在することを示す前記ロケーションデータを徘徊ルートとして前記モニタリングデータと対応付ける。このような構成とすることで、本発明は、監視対象の徘徊ルートを好適に管理し、監視対象の保護を好適に行うことができる。
【００１７】
上記課題を解決するため、本発明は、見守りバンド監視デバイスであって、見守りバンド及びサーバ間の通信を中継する中継デバイスであり、前記見守りバンド及び前記サーバから送信データを受け付け、それぞれ、前記サーバ及び前記見守りバンドへ送信する中継手段を有し、前記見守りバンドから受け付ける前記送信データは、前記見守りバンドにより取得された前記見守りバンドを着用する監視対象のロケーションデータ及びバイタルデータを含むライフログと、前記見守りバンドのバッテリー残量を少なくとも示すバンドステータスと、を含み、前記サーバから受け付ける前記送信データは、前記サーバにより決定された前記見守りバンドを制御するコントロール信号を含む見守りバンド監視デバイスである。
【００１８】
上記課題を解決するため、本発明は、見守りバンド監視方法であって、見守りバンドを着用する監視対象のバイタルデータ及びロケーションデータを含むライフログを取得し無線ネットワーク経由で前記ライフログ、及び、前記見守りバンドのバッテリー残量を少なくとも示すバンドステータスを中継デバイスに送信する検知ステップを、前記ライフログを取得する検知デバイスを含む前記見守りバンドのプロセッサに実行させ、前記見守りバンドと、サーバと、から送信データを受け付け、それぞれ、前記サーバと、前記見守りバンドと、へ送信する中継ステップを、前記見守りバンド及び前記サーバ間の通信を中継する前記中継デバイスのプロセッサに実行させ、前記監視対象の監視対象識別子及び前記見守りバンドのバンド識別子を対応付け、前記中継ステップにより送信された前記ライフログ及び前記バンドステータスに基づきモニタリングデータを決定する管理ステップと、前記モニタリングデータの少なくとも一部に基づき管理画面を表示処理する表示ステップと、前記管理画面を介した意思入力に基づき前記見守りバンドを制御するコントロール信号を決定し、前記コントロール信号を前記中継デバイス及び前記無線ネットワーク経由で前記見守りバンドに送信し、前記コントロール信号を前記見守りバンドに実行させる制御ステップと、を前記サーバのプロセッサに実行させる見守りバンド監視方法である。
【００１９】
上記課題を解決するため、本発明は、見守りバンド監視プログラムであって、見守りバンドを着用する監視対象のバイタルデータ及びロケーションデータを含むライフログを取得する検知デバイスを含む前記見守りバンドを、前記ライフログを取得し無線ネットワーク経由で前記ライフログ、及び、前記見守りバンドのバッテリー残量を少なくとも示すバンドステータスを中継デバイスに送信する検知手段として機能させ、前記中継デバイスを、サーバ及び前記見守りバンドからの送信データを受け付け、それぞれ、前記サーバ及び前記見守りバンドへ送信する中継手段として機能させ、前記サーバを、前記監視対象の監視対象識別子及び前記見守りバンドのバンド識別子を対応付け、前記中継手段により送信された前記ライフログ及び前記バンドステータスに基づきモニタリングデータを決定する管理手段と、前記モニタリングデータの少なくとも一部に基づき管理画面を表示処理する表示手段と、前記管理画面を介した意思入力に基づき前記見守りバンドを制御するコントロール信号を決定し、前記コントロール信号を前記中継デバイス及び前記無線ネットワーク経由で前記見守りバンドに送信し、前記コントロール信号を前記見守りバンドに実行させる制御手段と、として機能させる見守りバンド監視プログラムである。
【発明の効果】
【００２０】
本発明は、好適な見守りバンド監視を実現する新規な技術を提供することができる。
【図面の簡単な説明】
【００２１】
【図１】本発明の実施形態１に係る機能ブロック図を示す。
【図２】本発明の実施形態１に係るハードウェア構成図を示す。
【図３】本発明の実施形態１に係るシークエンス図を示す。
【図４】本発明の実施形態１に係る管理画面の表示例を示す。
【図５】本発明の実施形態１に係る管理画面の表示例を示す。
【図６】本発明の実施形態２に係る機能ブロック図を示す。
【図７】本発明の実施形態２に係るハードウェア構成図を示す。
【図８】本発明の実施形態２に係るシークエンス図を示す。
【発明を実施するための形態】
【００２２】
〈実施形態１〉
本明細書は、本発明の一実施形態に係る構成や作用効果等について、図面を交えて説明する。本発明は、以下の一実施形態に限定されず、様々な構成を採用し得る。
【００２３】
本発明に係る見守りバンド監視システム、見守りバンド監視方法、見守りバンド監視プログラム及び見守りバンド監視プログラム媒体のそれぞれは、同様の作用効果を奏する。また、見守りバンド監視デバイス及び見守りバンド監視デバイスに係るプログラムやプログラム媒体の作用効果は、見守りバンド監視システムの作用効果に含まれる。
【００２４】
本発明に係る見守りバンド監視プログラム媒体は、見守りバンド監視プログラムが格納された記録媒体であり、フラッシュメモリ等の非一過性の記録媒体である。また、見守りバンド監視デバイスに係るプログラム媒体も同様である。
【００２５】
〈機能ブロック〉
図１に例示されるように、実施形態１における見守りバンド監視システム０は、見守りバンド１を着用する監視対象の既知の生命兆候を示すバイタルデータ、及び、見守りバンド１の位置座標、移動経路及び測位結果を示す慣用のロケーションデータを含むライフログ０ｄ１１を取得する検知デバイスを含む見守りバンド１と、サーバ３と、見守りバンド１及びサーバ３間の通信を中継する中継デバイス２と、を有する。一実施形態に係る見守りバンド１、中継デバイス２及びサーバ３のそれぞれの数量に制限はない。
【００２６】
見守りバンド１は、ライフログ０ｄ１１を取得し無線ネットワーク経由でライフログ０ｄ１１、及び、見守りバンド１のバッテリー残量を少なくとも示すバンドステータス０ｄ１２を中継デバイス２に送信する検知手段１１（検知ステップ）を有する。
【００２７】
検知手段１１は、見守りバンド１の位置が見守りエリア０ａを逸脱しない等の場合、ＧＰＳを除く既知又は慣用の手法に基づき、基地局との通信に基づき、三斜法に基づき、ロケーションデータの、取得を行う／取得に寄与する構成であってよい。
【００２８】
本発明の一実施形態に係る見守りバンド１は、加速度センサに基づき、見守りバンド１を着用している監視対象の加速度を追跡して身体の位置と動作の変化を測定することで、転倒や転落の有無を判定してよい。上記加速度センサに基づく転倒の有無の判定結果は、中継手段２１によりサーバ３へ送信されてよく、また、中継デバイス２は、判定結果に応じて監視対象及び／又は監視者に向けたアラーティングを行う構成であってよい。
【００２９】
本発明の一実施形態に係る見守りバンド１は、加速度センサ及び地磁気センサに基づき、見守りバンド１を着用している監視対象の歩数、歩幅、進行方向を推定し、基点となる座標から累積的に監視対象の位置情報を推測してよい。なお、基点となる座標は、ＧＰＳ衛星からの電波が届かなくなった地点であってよい。上記加速度センサ及び地磁気センサに基づく位置情報の判定結果は、中継手段２１によりサーバ３へ送信されてよく、また、中継デバイス２は、判定結果に応じて監視対象及び／又は監視者に向けたアラーティングを行う構成であってよい。
【００３０】
本明細書中の説明における「バイタルデータ」は、例として、体温データ、睡眠データ、脈拍データ、歩数データ、血圧データ、血中酸素データ、心電図データ、バンド着脱判断データ、転倒判断データ及び消費カロリーデータの少なくとも１つを含み、その数値は、所定期間中の最低値、最高値、最頻値、平均値、偏差及び２値等の慣用の数値データを示す。
【００３１】
見守りバンド１は、例として、監視対象の手首や脚部等の構成部位に取り付ける・巻き付ける・貼り付ける等の既知又は慣用の手法で設置可能なウェアラブルデバイスである。
【００３２】
なお、本明細書中の説明における「監視対象」は、例として高齢者等のヒトであってよく、犬や猫等の動物であってよく、ドローン等のロボットであってよい。
【００３３】
中継デバイス２は、見守りバンド１及びサーバ３からの送信データを受け付け、それぞれ、サーバ３及び見守りバンド１へ送信する中継手段２１（中継ステップ）と、機種が異なる複数の見守りバンド１のそれぞれにおけるバンド識別子及び各見守りバンド１からの送信データの識別を行う識別手段２２（識別ステップ）と、を有する。
【００３４】
中継デバイス２は、例として、ビーコン端末である。また、中継デバイス２は、無線ネットワーク経由で見守りバンド１と相互接続する。また、中継デバイス２は、ネットワークを介してサーバ３との相互接続がなされる。
【００３５】
また、中継デバイス２は、見守りバンド１との相互接続が切れてから、予め設定された時間までに再接続が為されなかった場合、または、所定時間の間に再接続が為されなかった場合、監視対象の徘徊などが発生したと判断してよい。
【００３６】
本明細書中の説明における「無線ネットワーク」は、Ｂｌｕｅｔｏｏｔｈ（登録商標）やＬｏＲａＷＡＮ（登録商標）等の既知又は慣用の通信方式・周波数帯域に基づく。
【００３７】
中継手段２１は、慣用の屋内測位の態様で、無線ネットワーク経由で見守りバンド１を検知し、無線ネットワークを介した相互接続により見守りバンド１の測位を行い、中継デバイス２の位置座標及び当該測位の結果に基づき見守りバンド１のロケーションデータをサーバ３に送信する。中継手段２１による見守りバンド１又はサーバ３との送受信は、既知又は慣用の手法に基づく暗号化がなされてよい。当該送受信は、例として、ＶＰＮに基づいてよい。
【００３８】
中継手段２１は、見守りバンド１からの送信データであるライフログ０ｄ１１を受け付け、所定のデータフォーマットに基づき当該ライフログ０ｄ１１の少なくとも一部のデータ整形を行い、当該ライフログ０ｄ１１をサーバ３に送信する。当該データ整形は、既知又は慣用の手法に基づくものであり、当該データフォーマットの態様に制限はない。
【００３９】
中継手段２１は、サーバ３からの送信データであるコントロール信号０ｄ２を受け付け、所定のデータフォーマットに基づき当該コントロール信号０ｄ２の少なくとも一部のデータ整形を行い、当該コントロール信号０ｄ２を見守りバンド１に送信する。当該データ整形は、既知又は慣用の手法に基づくものであり、当該データフォーマットの態様に制限はなく、当該見守りバンド１のハードウェア構成・プログラム構成に応じて決定される。
【００４０】
識別手段２２は、見守りバンド１を示すバンド識別子に基づき、ライフログ０ｄ１１の送信を行った見守りバンド１が何れの機種であるのかを識別し、また、見守りバンド１から受信したライフログ０ｄ１１の有するデータが、見守りバンド監視システム０における何れのデータと対応するものであるのかを、機械学習モデルに基づき識別する。機械学習の教師データは、見守りバンド１のバンド識別子が含む機種情報と、ライフログ０ｄ１１のデータの組み合わせである。ここで、本発明の一実施形態では、機械学習における入力データはライフログ０ｄ１１であり、また、出力データは機種情報である。また、本発明における機種情報は、当該見守りバンド１が、既知又は慣用の見守りバンド１の内の何れの機種であるかを示す情報である。また、ライフログ０ｄ１１の有するデータの識別は、例として、ニューラルネットワーク等による機械学習モデルを用いてよい。
【００４１】
識別手段２２は、見守りバンド１が管理するＭＡＣアドレスなどのバンド識別子の変化に基づき、監視対象が装着している見守りバンド１が交換されたと判断してよい。
【００４２】
本発明の一実施形態に係る中継デバイス２は、赤外線センサに基づき、監視対象を示す熱源の有無を判定することで、監視対象の所在を判定してよい。上記赤外線センサに基づく監視対象の所在の判定結果は、中継手段２１によりサーバ３へ送信されてよく、モニタリングデータ０ｄ３の決定に供されてよい。
【００４３】
また、本発明の一実施形態に係る中継デバイス２は、赤外線センサを用いたドップラー・レーダーに基づき、監視対象の移動速度及び変位量を判定してよい。上記ドップラー・レーダーに基づく監視対象の移動速度及び変位量の判定結果は、中継手段２１によりサーバ３へ送信されてよく、モニタリングデータ０ｄ３の決定に供されてよい。
【００４４】
本発明の一実施形態に係る中継デバイス２は、温度センサ及び湿度センサに基づき、中継デバイス２の設置地点における温度及び湿度の測定を行うことで、当該設置地点における熱中症の危険性を判定してよい。なお、熱中症の危険性の判定は、ＷＢＧＴに基づいた段階的な判定であってよく、また、ＷＢＧＴの値が予め決められた値を超過した場合に危険であるとする判定であってよい。上記温度センサ及び湿度センサに基づく熱中症の危険性の判定結果は、中継手段２１によりサーバ３へ送信されてよく、また、中継デバイス２は、判定結果に応じて監視対象及び／又は監視者に向けたアラーティングを行う構成であってよい。
【００４５】
本発明の一実施形態に係る中継デバイス２は、監視対象が薬を飲み忘れること等を防止するための音声発信やタイマー告知等のアラーティングを行う構成であってよい。当該アラーティングのタイミングや内容を含む設定等は、モニタリングデータ０ｄ３の一部として、管理手段３１により決定・格納される構成であってよい。
【００４６】
本発明の一実施形態に係る中継デバイス２は、見守りバンド監視システム０の周辺機器である薬入れのカバーの開閉が行われたか否かの検知結果を受信してよい。当該薬入れは、備え付けられたセンサ及び通信装置によって、カバーの開閉が行われたことの検知及び検知結果の送信を行う構成であってよく、また、無線ネットワークを介して中継デバイス２に送信された検知結果は、中継手段２１によってサーバ３へ送信されてよい。また、サーバ３は、サーバ３が当該検知結果を受信することを条件に、監視対象が薬を服用したと判断してよい。その際、サーバ３は、薬入れのカバーの開閉が行われたことのみを判断の基準としてよい。また、サーバ３は、監視対象が薬を服用したと判断することを条件に、薬の飲み忘れを防止するためのアラーティングを中止してもよい。
【００４７】
サーバ３は、監視対象を示す監視対象識別子及びバンド識別子を対応付け、中継手段２１により送信されたライフログ０ｄ１１及びバンドステータス０ｄ１２に基づきモニタリングデータ０ｄ３を決定する管理手段３１（管理ステップ）と、モニタリングデータ０ｄ３の少なくとも一部に基づきバンド識別子と対応する管理画面０ｗを表示処理する表示手段３２（表示ステップ）と、管理画面０ｗを介した意思入力に基づき見守りバンド１を制御するコントロール信号０ｄ２を決定し、コントロール信号０ｄ２を中継デバイス２経由で見守りバンド１に送信し、コントロール信号０ｄ２を見守りバンド１に実行させる制御手段３３（制御ステップ）と、を有する。
【００４８】
サーバ３は、サーバ３が有する各手段・各ステップにおいて用いられる各種データの少なくとも一部をデータベースに格納してよい。当該データベースは、既知又は慣用の手法・構成に基づくデータベースであり、ＲＤＢであってもよくＫＶＳであってもよい。
【００４９】
管理手段３１は、見守りバンド１のバッテリー残量が所定量以上であることを条件として、監視対象識別子及びバンド識別子を対応付け、初期設定や見守りバンド１の登録を行ってよい。当該所定量とは、例として、バッテリー駆動時間が３０日以上であることを示すバッテリー残量を指す。
【００５０】
管理手段３１は、モニタリングデータ０ｄ３の更新時刻をバンド識別子と対応させながら記録し、最終更新時刻からの経過時間をモニタリングしてよい。
【００５１】
サーバ３は、モニタリングデータ０ｄ３の少なくとも一部に基づき、監視対象に関する異常を注意喚起するための監視者向けアラーティングを表示手段３２と協調して管理画面０ｗ上で行う警告手段３４（警告ステップ）をさらに有する。
【００５２】
本明細書中の説明における監視者向けアラーティングや後述の監視対象向けアラーティング等の「アラーティング」は、見守りバンド１、中継デバイス２やサーバ３等のコンピュータ装置が有する既知又は慣用の出力デバイスに基づく報知を指す。当該報知は、視覚的、聴覚的及び触覚的表現の少なくとも１つに基づきコンピュータ装置を利用する監視者や監視対象に向けられる。
【００５３】
アラーティングが監視者や監視対象に向けて行われる条件としては、見守りバンド１のＳＯＳボタンが押下される、中継デバイス２の設置地点において熱中症の危険性があると判定される、薬の飲み忘れ防止用アラートの設定時間になる、監視対象のバイタルデータがバイタル正常範囲から逸脱する、サーバ３が全国瞬時警報システム（以下、Jアラートとする）による情報伝達を受信する及び監視対象が見守りエリア０ａの外域に出る等である。
【００５４】
また、アラーティングは何れの条件によって行われるかによって、見守りバンド１、中継デバイス２やサーバ３等のコンピュータ装置が有する既知又は慣用の出力デバイスに基づく報知の様式を変更してよい。例として、薬の飲み忘れ防止用アラートの設定時間になった際は、服用タイミングであることを音声発信で知らせる、Jアラートを受信した際は、監視者や監視対象の危機感を煽るような警告音を鳴らす等である。
【００５５】
管理手段３１は、バンド識別子と対応する見守りエリア０ａを決定し、警告手段３４は、ロケーションデータが見守りエリア０ａの外域を示していることを条件として監視者向けアラーティングを行う。警告手段３４は、ロケーションデータが見守りエリア０ａの外域を示していることに、代えて／加えて、ロケーションデータが所定のエリア内に位置することを示していることを条件として、監視者向けアラーティングを行ってもよい。
【００５６】
管理手段３１は、監視対象が見守りエリア０ａの外域に所在することを示す移動経路等を示すロケーションデータを徘徊ルートとしてモニタリングデータ０ｄ３と対応付ける。このとき、徘徊ルートは、日毎等の所定時間毎にモニタリングデータ０ｄ３と対応付けられてよく、見守りエリア０ａを逸脱してから再び見守りエリア０ａに戻る毎にモニタリングデータ０ｄ３と対応付けられてよい。
【００５７】
本明細書中の説明における「見守りエリア０ａ」は、市町村等の所定のエリアを指してよいし、所定の位置座標を中心とする同心円状の範囲を指してよい。見守りエリア０ａは、複数の市町村等の所定のエリアを指してよい。
【００５８】
本明細書中の説明における「外域を示している」は、位置座標や移動経路の少なくとも一部が、見守りエリア０ａ等の所定のエリアを逸脱していることを指してよいし、位置座標や移動経路の少なくとも一部が、見守りエリア０ａ等の所定のエリアを所定時間の間、逸脱していることを指してよい。
【００５９】
管理手段３１は、バンド識別子と対応するバイタル正常範囲を決定し、警告手段３４は、バイタルデータがバイタル正常範囲を逸脱していることを条件として監視者向けアラーティングを行う。本明細書中の説明における「バイタル正常範囲」は、監視者の意思入力に基づき管理手段３１により決定され、例として危険な血圧値等を示す。当該バイタル正常範囲は、監視対象識別子のそれぞれに対し個別に決定されてよい。
【００６０】
表示手段３２は、見守りバンド１と対応する緊急連絡用コード画像０ｗ５を当該見守りバンド１と対応する管理画面０ｗ上で表示処理し、既知又は慣用のコンピュータである端末による緊急連絡用コード画像０ｗ５の読取処理は、前記バンド識別子と対応する所定の電話番号及び／又はメールアドレスに対する報知を所定のコールセンターに実行させるための条件である。具体的には、緊急連絡用コード画像０ｗ５の読取処理が行われることを転機として、所定のコールセンターによるサーバ等に対する通知等が行われ、当該通知を転機として、所定のコールセンターによる報知が行われる。当該電話番号は、監視対象の自宅電話番号や携帯電話番号、監視対象の家族・親戚の自宅電話番号や携帯番号等である。当該メールアドレスは、監視対象のメールアドレス、監視対象の家族・親戚のメールアドレス等である。
【００６１】
端末は、上記読取処理に成功することで、緊急連絡用コード画像０ｗ５と対応する見守りバンド１のバンド識別子を取得し、また、当該バンド識別子を含む当該読取処理の結果である読取結果をサーバ３に対し送信する。サーバ３は、当該読取結果の受信を条件に、当該バンド識別子と対応する所定の電話番号及び／又はメールアドレスに対する報知を所定のコールセンターに依頼する。
【００６２】
本発明の一実施形態では、緊急連絡用コード画像０ｗ５の読取処理を条件（転機）として、先ず、上記コールセンターは、上記電話番号への報知を行う。次に、上記電話番号への報知において監視対象が電話に応答しない等の場合、上記コールセンターは、上記メールアドレスに対する報知を行う。ここでの「報知」とは、電話発信やメール送信等の慣用の手法に基づく報知を指し。安否確認等がその目的である。
【００６３】
本発明の一実施形態では、バイタルデータがバイタル正常範囲を逸脱することが、前記バンド識別子と対応する所定の電話番号及び／又はメールアドレスに対する報知を所定のコールセンターに実行させるための条件であってよい。
【００６４】
また、バイタルデータがバイタル正常範囲を逸脱することが、前記バンド識別子と対応する所定の電話番号及び／又はメールアドレスに対する報知、又は、所定のコールセンターと対応する電話番号及び／又はメールアドレスに対する報知をサーバ３やサーバ３と接続される端末に実行させる構成であってよい。
【００６５】
本発明の一実施形態では、中継デバイス２の検知デバイスが監視対象による発声を検知することが、前記バンド識別子と対応する所定の電話番号及び／又はメールアドレスに対する報知を所定のコールセンターに実行させるための条件であってよい。当該発声は、例として、「助けて」や、所定の音量を超過する音声等、異常を指し得る音声全般である。
【００６６】
本発明の一実施形態では、見守りバンド１のＳＯＳボタンを押下することが、前記バンド識別子と対応する所定の電話番号及び／又はメールアドレスに対する報知を所定のコールセンターに実行させるための条件であってよい。また、前記バンド識別子と対応する所定の電話番号及び／又はメールアドレスに対する報知を所定のコールセンターに実行させるための条件が、見守りバンド１及び／又は中継デバイス２に監視対象向けアラーティングを実行させるための条件であってよい。
【００６７】
本明細書中の説明における「緊急連絡用コード画像０ｗ５」は、例として、バーコードや２次元コード等の低次元コードの態様をとる。上記読取処理は、イメージセンサ等を用いた処理である。上記端末は、当該イメージセンサを有する、既知又は慣用のコンピュータ装置である。なお、低次元コードとは、例として、バーコードやＱＲコード（登録商標）である。
【００６８】
本明細書中の説明における「コールセンター」は、例として、高齢者等の監視対象に係るサポート業務を行う既知の施設を指す。
【００６９】
表示手段３２は、見守りバンド１のバンドステータス０ｄ１２が、バッテリー残量が略ゼロであることを示していることを条件として、緊急連絡用コード画像０ｗ５を管理画面０ｗ上で表示処理してよい。
【００７０】
表示手段３２は、バッテリー残量が略ゼロであることを示していることに、代えて／加えて、モニタリングデータ０ｄ３の最終更新時間からの経過時間が所定時間を経過していることを条件として、緊急連絡用コード画像０ｗ５の表示処理を行ってよい。
【００７１】
表示手段３２は、見守りバンド１のバンドステータス０ｄ１２が、バッテリー残量が略ゼロでないことを示していることを条件として、緊急連絡用コード画像０ｗ５を表示処理しない構成であってよい。
【００７２】
本明細書中の説明における「バッテリー残量が略ゼロである」とは、バッテリー残量がゼロであることの他、見守りバンド１によるライフログ０ｄ１１の取得が可能ではないような状態であることを指し得る。
【００７３】
制御手段３３は、コントロール信号０ｄ２を見守りバンド１に実行させ、見守りバンド１が有するバイブレーター、サウンドデバイス及びディスプレイデバイスの少なくとも１つを制御し、監視対象向けアラーティングを行う。
【００７４】
監視対象向けアラーティングは、他の見守りバンド１に接近する等して、見守りバンド１又は中継デバイス２が他の見守りバンド１を無線ネットワーク経由で検知することで、当該他の見守りバンド１により行われてよい。
【００７５】
制御手段３３は、コントロール信号０ｄ２を見守りバンド１に実行させることで、前記検知手段１１により取得されるライフログ０ｄ１１に含まれるバイタルデータ及び／又はロケーションデータを構成するデータの種別を決定してよく、バイタルデータ及び／又はロケーションデータの取得スケジュールを決定してよい。
【００７６】
制御手段３３は、モニタリングデータ０ｄ３に基づきコントロール信号０ｄ２の送信先である中継デバイス２を決定する。
【００７７】
〈ハードウェア構成〉
図２に例示されるように、見守りバンド１は、演算装置１０１、主記憶装置１０２、補助記憶装置１０３、入力装置１０４、出力装置１０５、通信装置１０６、検知装置１０７及びバスインタフェースを有する。これらの各装置は、上述した見守りバンド１が有する各手段・各ステップの作用効果を奏する上で適宜、用いられる。なお、当該検知装置１０７は、見守りバンド１が有する検知デバイスである。なお、見守りバンド１は、ＳＯＳを知らせるためのＳＯＳボタンを備える構成であってよい。
【００７８】
図２に例示されるように、中継デバイス２は、演算装置２０１、主記憶装置２０２、補助記憶装置２０３、入力装置２０４、出力装置２０５、通信装置２０６及びバスインタフェースを有する。これらの各装置は、上述した中継デバイス２が有する各手段・各ステップの作用効果を奏する上で適宜、用いられる。
【００７９】
なお、中継デバイス２は、マイク、赤外線センサ、温度センサ及び湿度センサを含む既知又は慣用の検知デバイスを備える構成であってよい。また、中継デバイス２は、監視対象と監視者又は監視対象の家族・親戚等との間の連絡を、ＩＰ電話・テレビ電話を介して行うためのカメラやマイク等の既知の装置をさらに備える構成であるが、中継デバイス２はカメラやマイク等の既知の装置を備えていなくてもよい。また、監視者又は監視対象の家族・親戚等は、予め設定されたパスワードを入力することで、中継デバイス２の備えるカメラ及び／又はマイク等を介して、中継デバイス２の設置地点における視覚的及び／又は聴覚的情報の確認を行うことができる構成であってよい。
【００８０】
図２に例示されるように、サーバ３は、演算装置３０１、主記憶装置３０２、補助記憶装置３０３、入力装置３０４、出力装置３０５、通信装置３０６及びバスインタフェースを有する。これらの各装置は、上述したサーバ３が有する各手段・各ステップの作用効果を奏する上で適宜、用いられる。当該補助記憶装置３０３は、上述のデータベースに係るハードウェア資源として機能してよい。
【００８１】
演算装置１０１、２０１及び３０１のそれぞれは、命令セットを実行可能な、既知のプロセッサを有する。主記憶装置１０２、２０２及び３０２のそれぞれは、命令セットを記憶可能な、既知の揮発性メモリを有する。補助記憶装置１０３、２０３及び３０３のそれぞれは、プログラム等を記録可能な、既知の記録媒体を有する。
【００８２】
入力装置１０４、２０４及び３０４のそれぞれは、例えば意思入力が可能な、既知のインタフェースである。出力装置１０５、２０５及び３０５のそれぞれは、視覚的・聴覚的・触覚的な報知を可能とするような、既知のインタフェースである。具体的には、バイブレーター・サウンドデバイス・ディスプレイデバイス等である。
【００８３】
通信装置１０６及び２０６は、上述の無線ネットワーク上での見守りバンド１及び中継デバイス２間の相互接続を可能とするような、既知のネットワークインタフェースである。通信装置２０６及び３０６は、中継デバイス２及びサーバ３間の相互接続を可能とするような、既知のネットワークインタフェースである。検知装置１０７は、上述のライフログ０ｄ１１の少なくとも一部の取得を可能とするような、既知のセンサ等である。なお、中継デバイス２及びサーバ３間の接続は無線接続であってよく、また、有線接続であってもよい。
【００８４】
〈処理シーケンス〉
図３に例示されるように、本発明の一実施形態に係る見守りバンド監視は、以下の手順に沿って行われる。先ず、見守りバンド１によるライフログ０ｄ１１の取得が行われる。次に、見守りバンド１及び中継デバイス２間の相互接続が行われる。このとき、見守りバンド１は、ライフログ０ｄ１１及びバンドステータス０ｄ１２を含む送信データを中継デバイス２に送信し、中継デバイス２は当該送信データを受け付ける。その後、中継デバイス２は、当該送信データをサーバ３に送信する。
【００８５】
図３に例示されるように、サーバ３は、中継デバイス２から送信されたライフログ０ｄ１１及びバンドステータス０ｄ１２に基づきモニタリングデータ０ｄ３を決定する。その後、サーバ３は、モニタリングデータ０ｄ３に基づき管理画面０ｗを更新する。
【００８６】
図３に例示されるように、サーバ３は、監視者による見守りバンド１の制御が行われる場合に、先ず、管理画面０ｗ上の意思入力に基づきコントロール信号０ｄ２を決定する。その後、サーバ３は、中継デバイス２に当該コントロール信号０ｄ２を送信する。当該中継デバイス２は、当該見守りバンド１に対して当該コントロール信号０ｄ２を送信する。最後に、見守りバンド１は、当該コントロール信号０ｄ２を実行する。
【００８７】
図４に例示されるように、管理画面０ｗは、複数の表示部等（表示オブジェクト）を含む。また、管理画面０ｗは、監視対象識別子と対応するプロフィール画像０ｗ１、監視対象プロフィール表示部０ｗ２及び緊急メール送信意思入力部０ｗ３を含む。
【００８８】
監視対象プロフィール表示部０ｗ２は、ライフログ０ｄ１１の少なくとも一部を示す他、監視対象識別子と対応し予め設定される情報である、かかりつけ病院名、担当課、担当医、身長、体重、平均体温、血液型、血圧、脈拍数、認知症の有無、徘徊履歴の有無、良く行く場所、アレルギー、ペースメーカーの有無、服用薬、服用タイミング、レントゲン画像、ＣＴ画像、ＭＲＩ画像及び心電図画像の少なくとも１つを示してよい。
【００８９】
緊急メール送信意思入力部０ｗ３は、監視対象識別子と対応する監視対象の親族等の関係者のメールアドレスに対するメール送信に係る意思入力を行うために用いられる。
【００９０】
図４に例示されるように、管理画面０ｗは、見守りバンドプロフィール表示部０ｗ４、バッテリー残量表示部０ｗ６を有する。見守りバンドプロフィール表示部０ｗ４は、バンド識別子の他、バンドステータス０ｄ１２の少なくとも一部を示してよい。バッテリー残量表示部０ｗ６では、バンドステータス０ｄ１２に基づき、見守りバンド１のバッテリー残量が例としてバーゲージの態様で表示処理される。
【００９１】
図４に例示されるように、管理画面０ｗは、コントロール信号０ｄ２を決定するための意思入力を行うことができるコントロール信号意思入力部０ｗ７を有する。コントロール信号意思入力部０ｗ７では、例として、ライフログ０ｄ１１の少なくとも一部に係る取得スケジュールを設定することができる。当該取得スケジュールは、例として、３時間毎、３分毎、３秒毎等の頻度の態様で設定されてよく、３時間後等の現在時刻基準の未来時刻の態様で設定されてよく、３月３日午後３時等の日時として設定されてよい。また、コントロール信号意思入力部０ｗ７は、ロケーションデータ等のライフログ０ｄ１１の一部の取得を行わないようなコントロール信号０ｄ２の設定が可能であってよい。また、コントロール信号意思入力部０ｗ７は、見守りバンド１によるロケーションデータの取得をＧＰＳに基づき行うよう制御するコントロール信号０ｄ２の設定のために用いられる。また、ライフログ０ｄ１１の取得スケジュールは設定の変更により調整が可能であるが、JアラートやＳＯＳの受信を条件として、取得スケジュールの変更が行われてもよい。また、その際に変更される取得スケジュールは、事前に設定されたものであってよい。
【００９２】
図５に例示されるように、管理画面０ｗは、上述の表示オブジェクトの少なくとも一部に代えて／加えて、見守りバンド１の現在位置を示す座標表示部０ｗ８、見守りバンド１の移動経路を選択可能な移動履歴選択部０ｗ９、及び、見守りバンド１の位置座標及び／又は移動経路を示す。マップ表示部０ｗ１０を含んでよい。このとき、マップ表示部０ｗ１０は、見守りエリア０ａを表示してよい。
【００９３】
本発明の一実施形態に係る監視者向けアラーティングは、管理画面０ｗを構成する表示オブジェクトの少なくとも１つの外観を変化させることで行われる。具体的には、例として、当該監視者向けアラーティングは、マップ表示部０ｗ１０において見守りバンド１が見守りエリア０ａの外域に位置することを示しながら適宜、視覚的・聴覚的・触覚的に行われる構成であってよい。
【００９４】
本発明の一実施形態に係る中継デバイス２は、サーバ３が有する各手段・各ステップの一部を有する構成であってよい。本発明の一実施形態に係る見守りバンド監視システム０は、エッジコンピューティングの態様をとってよい。
【００９５】
〈実施形態２〉
以下、本発明の実施形態２に係る見守りバンド監視システムについて説明する。なお、実施形態１と同様の構成については、同様の符号を付してその説明を省略する。
【００９６】
〈機能ブロック〉
図６に例示されるように、実施形態２における見守りバンド監視システム０は、見守りバンド１と、監視対象が見守りエリア０ａの外域に出た際における当該監視対象の捜索の補助を可能とする中継デバイス２と、サーバ３と、を有する。一実施形態に係る見守りバンド１、中継デバイス２及びサーバ３のそれぞれの数量に制限はない。
【００９７】
見守りバンド１は、ライフログ０ｄ１１を取得し無線ネットワーク経由でライフログ０ｄ１１、及び、見守りバンド１のバッテリー残量を少なくとも示すバンドステータス０ｄ１２を中継デバイス２に送信する検知手段１１（検知ステップ）を有する。
【００９８】
検知手段１１は、見守りバンド１の位置が見守りエリア０ａを逸脱している場合、慣用の屋外測位の態様で、ＧＰＳ衛星を利用した測位によって見守りバンド１の位置情報の取得を行い、当該測位の結果に基づき見守りバンド１のロケーションデータを中継デバイス２に送信する。
【００９９】
見守りバンド１は、当該見守りバンド１と対応する低次元コードが印刷されたシール材が貼りつけられていてよい。なお、当該低次元コードは、サーバ３によって生成／発行されてよく、監視対象識別子及びバンド識別子と対応付けられてよい。
【０１００】
中継デバイス２は、見守りバンド１及びサーバ３からの送信データを受け付け、送信データの少なくとも一部のデータ整形を行いサーバ３へ送信する中継手段２１（中継ステップ）と、機種が異なる複数の見守りバンド１のそれぞれにおけるバンド識別子及び各見守りバンド１からの送信データの識別を行う識別手段２２（識別ステップ）と、低次元コードを撮影する撮像手段２３（撮像ステップ）と、撮影された低次元コードを読み取る読取手段２４（読取ステップ）と、見守りバンド監視システムの利用に係る各種情報の入出力を行うためのアプリケーション又はウェブページを表示する表示手段２５（表示ステップ）と、を有する。
【０１０１】
中継デバイス２は、例として、スマートフォン、タブレット及びラップトップ等の、監視者及び監視対象の家族・親戚等が携帯可能なコンピュータである。本実施形態では、表示手段２５としてタッチパネルディスプレイを備えるスマートフォンを中継デバイス２として利用する場合を想定するが、この他にも、タブレット端末のような、同様の作用効果を奏する任意のコンピュータ装置を用いてよい。また、中継デバイス２は、無線ネットワーク経由で見守りバンド１と相互接続する。また、中継デバイス２は、無線ネットワーク経由でサーバ３と相互接続する。
【０１０２】
中継デバイス２は、本実施形態における見守りバンド監視システムの利用に係る各種の入出力を行うためのアプリケーション及び／又はウェブページにアクセスする為のウェブブラウザアプリケーションを記憶している。
【０１０３】
撮像手段２３は、捜索者による中継デバイス２に対する操作に応じて、低次元コードの撮影処理を行う。ここで、当該撮影処理にかかる低次元コードの寸法、解像度及びポストエフェクトに制限はない。
【０１０４】
読取手段２４は、撮像手段２３と協調して、低次元コードにかかる読取処理を行うことにより、低次元コードと対応付けられた監視対象識別子及びバンド識別子と対応する監視対象の詳細情報を取得する。読取手段２４は、例として、低次元コードを表す画像や印刷物から低次元コードの部分を認識し、当該部分に対してデコード処理を行う。
【０１０５】
表示手段２５は、見守りバンド監視システムの利用に係る各種情報の入出力を行うためのアプリケーション又はウェブページを表示処理する。
【０１０６】
〈ハードウェア構成〉
図７に例示されるように、中継デバイス２は、演算装置２０１、主記憶装置２０２、補助記憶装置２０３、入力装置２０４、出力装置２０５、通信装置２０６、撮像装置２０７及びバスインタフェースを有する。これらの各装置は、上述した中継デバイス２が有する各手段・各ステップの作用効果を奏する上で適宜、用いられる。
【０１０７】
通信装置１０６及び２０６は、上述の無線ネットワーク上での見守りバンド１及び中継デバイス２間の相互接続を可能とするような、既知のネットワークインタフェースである。通信装置２０６及び３０６は、無線ネットワーク上での中継デバイス２及びサーバ３間の相互接続を可能とするような、既知のネットワークインタフェースである。
【０１０８】
撮像装置２０７は、読取処理や撮像処理を可能とするような既知のイメージセンサである。
【０１０９】
〈処理シーケンス〉
図８に例示されるように、本発明の一実施形態に係る見守りバンド捜索は、以下の手順に沿って行われる。先ず、見守りバンド１による、見守りバンド１の位置座標、移動経路及び測位結果を示す慣用のロケーションデータを含むライフログ０ｄ１１の取得が行われる。次に、見守りバンド１及び中継デバイス２間の相互接続が行われる。このとき、見守りバンド１は、ライフログ０ｄ１１及びバンドステータス０ｄ１２を含む送信データを中継デバイス２に送信し、中継デバイス２は当該送信データを受け付ける。その後、中継デバイス２及びサーバ３間の相互接続が行われ、中継デバイス２は、当該送信データをサーバ３に送信する。
【０１１０】
図８に例示されるように、サーバ３は、見守りバンド１から送信されたライフログ０ｄ１１及びバンドステータス０ｄ１２に基づきモニタリングデータ０ｄ３を決定する。その後、サーバ３は、モニタリングデータ０ｄ３に基づき管理画面０ｗを更新する。
【０１１１】
図８に例示されるように、サーバ３は、ロケーションデータが見守りエリア０ａの外域を示していることを条件として、監視対象の家族・親戚等と、中継デバイス２を所持しており監視対象の近隣にいる者と、に対して徘徊の発生を知らせるメールを送信する。
【０１１２】
図８に例示されるように、メールに記載されたＵＲＬの指定を行うことで、中継デバイス２の記憶しているアプリケーションが起動する。中継デバイス２は、メールの受信者がアプリケーションを介して監視対象の捜索への協力を承諾することを条件に、サーバ３から監視対象の着用する見守りバンド１のバンド識別子の取得を行う。
【０１１３】
本明細書中の説明においては、徘徊の発生を知らせるメールを受信した者であって、且つ監視対象の捜索に協力することを承諾した者を「捜索者」とする。
【０１１４】
図８に例示されるように、中継デバイス２は、取得されたバンド識別子に基づき見守りバンド１の捜索を行い、見守りバンド１からの信号を捉えた場合、捜索者向けのアラーティング及びサーバ３へ見守りバンド１の位置情報の送信を行う。なお、見守りバンド１の位置情報は、中継デバイス２が捉えた信号の強弱に基づき、三斜法に基づき取得される。
【０１１５】
図８に例示されるように、上記捜索者が表示手段２５に表示される監視対象情報要求ボタンを押下することで、中継デバイス２はサーバ３から監視対象情報を取得する。ここで、監視対象情報とは、監視対象の氏名、生年月日、性別、身体的特徴、プロフィール画像０ｗ１のうち少なくとも１つを含んでよい。
【０１１６】
図８に例示されるように、上記捜索者は、監視対象を発見し、発見した人物が監視対象であることを確認できた場合、表示手段２５に表示される架電ボタンを押下することで所定のコールセンターに電話をかけることができる。
【０１１７】
図８に例示されるように、上記捜索者は、監視対象を発見し、発見した人物が監視対象であることを確認できなかった場合、中継デバイス２の有する撮像手段２３及び読取手段２４を用いて見守りバンド１に貼り付けられた低次元コードの読取処理を行うことで、監視対象に係る詳細情報の取得及び低次元コードと対応付けられた監視対象識別子によって発見した人物が監視対象であるかの確認をすることができる。ここで、中継デバイス２が取得できる詳細情報とは、少なくとも監視対象プロフィール表示部０ｗ２に表示され得る情報の一部である。
【０１１８】
図８に例示されるように、上記捜索者は、低次元コードの読取処理を行うことによって発見した人物が監視対象であることを確認できた場合、表示手段２５に表示される架電ボタンを押下することで所定のコールセンターに電話をかけることができる。
【０１１９】
本発明の一実施形態に係るロケーションデータは、クラウドＧＰＳの態様で、見守りバンド１や中継デバイス２等の端末に適宜、基づき取得される構成であってよい。
【０１２０】
本発明の一実施形態に係る見守りバンド１及び中継デバイス２は、防水及び／又は防塵機能を備えていてよい。このよう機能を備えることによって、災害時において、瓦礫や土砂の中に監視対象が居た場合であっても、対象の所在を検知することが可能となる。
【０１２１】
本発明は、見守りバンド１に係るモニタリング・コントロールを遠隔に行うことで、好適な見守りバンド監視を実現する新規な技術を提供することができる。
【符号の説明】
【０１２２】
０        ：見守りバンド監視システム
０ａ      ：見守りエリア
０ｄ１１  ：ライフログ
０ｄ１２  ：バンドステータス
０ｄ２    ：コントロール信号
０ｄ３    ：モニタリングデータ
０ｗ      ：管理画面
０ｗ１    ：プロフィール画像
０ｗ２    ：監視対象プロフィール表示部
０ｗ３    ：緊急メール送信意思入力部
０ｗ４    ：バンドプロフィール表示部
０ｗ５    ：緊急連絡用コード画像
０ｗ６    ：バッテリー残量表示部
０ｗ７    ：コントロール信号意思入力部
０ｗ８    ：座標表示部
０ｗ９    ：移動履歴選択部
０ｗ１０  ：マップ表示部
１        ：見守りバンド
２        ：中継デバイス
３        ：サーバ
１１      ：検知手段
２１      ：中継手段
２２      ：識別手段
２３      ：撮像手段
２４      ：読取手段
２５      ：表示手段
３１      ：管理手段
３２      ：表示手段
３３      ：制御手段
３４      ：警告手段
１０１、２０１、３０１    ：演算装置
１０２、２０２、３０２    ：主記憶装置
１０３、２０３、３０３    ：補助記憶装置
１０４、２０４、３０４    ：入力装置
１０５、２０５、３０５    ：出力装置
１０６、２０６、３０６    ：通信装置
１０７    ：検知装置
２０７    ：撮像装置
【図１】
0006905773.tif 000002
【図２】
0006905773.tif 000003
【図３】
0006905773.tif 000004
【図４】
0006905773.tif 000005
【図５】
0006905773.tif 000006
【図６】
0006905773.tif 000007
【図７】
0006905773.tif 000008
【図８】
0006905773.tif 000009